(57)【特許請求の範囲】
【請求項１】
送信側と受信側の同期をとるための時間基準を示す時間基準情報を用いて、入力される複数のオーディオ・ビデオ信号を符号化し、複数のトランスポートストリームを生成する複数の符号化手段と、
前記複数の符号化手段の中の任意の符号化手段で用いられている前記時間基準情報を検出し、検出した該時間基準情報を前記複数の符号化手段の他の符号化手段に指示することにより、前記複数の符号化手段全ての時間基準情報を共通化させる指示手段と、
前記複数の符号化手段により生成された複数のトランスポートストリームと前記指示手段により共通化された時間基準情報とを多重化して、１つのトランスポートストリームを生成する多重化手段と、
前記多重化手段より生成されたトランスポートストリームを送信する送信手段と、
を有する送信装置。
【請求項２】
前記指示手段は、前記時間基準情報を生成し、該生成された時間基準情報を前記複数の符号化手段に対して指示することにより、前記複数の符号化手段全てで用いられる時間基準を情報を共通化させる、
請求項１に記載の送信装置。
【請求項３】
前記トランスポートストリームは、ＭＰＥＧ２規格準拠のトランスポートストリームであり、
前記時間基準情報は、プログラムクロックリファレンス（ＰＣＲ）である、
請求項１に記載の送信装置。
【請求項４】
送信側と受信側の同期をとるための時間基準を示す時間基準情報を用いて、入力される複数のオーディオ・ビデオ信号を符号化し、複数のトランスポートストリームを生成する複数の符号化ステップと、
前記符号化ステップでの複数の符号化処理の中の任意の符号化処理で用いられている前記時間基準情報を検出し、検出した該時間基準情報を前記複数の符号化処理の他の符号化処理に指示することにより、前記複数の符号化処理全ての時間基準情報を共通化させる指示ステップと、
前記符号化ステップでの前記複数の符号化処理により生成された複数のトランスポートストリームと前記指示ステップにより共通化された時間基準情報とを多重化して、１つのトランスポートストリームを生成する多重化ステップと、
前記多重化ステップより生成されたトランスポートストリームを送信する送信ステップと、
を有する送信方法。
【請求項５】
送信側と受信側の同期をとるための時間基準を示す時間基準情報が複数のトランスポートストリームを生成する複数の符号化手段の中の任意の符号化手段で用いられている前記時間基準情報を前記複数の符号化手段の他の符号化手段に指示することによって共通化された複数のトランスポートストリームと前記時間基準情報とが多重化されたトランスポートストリームを受信する受信手段と、
前記受信手段により受信されたトランスポートストリームを、共通化された時間基準情報と複数のトランスポートストリームとに分離する分離手段と、
前記分離手段により分離された複数のトランスポートストリームを、前記分離手段により分離された基準時間情報を用いて同期をとりながら復号する復号手段と、
を有する受信装置。
【請求項６】
前記復号手段は、前記分離手段により分離された前記時間基準情報を、前記分離手段により分離された複数のトランスポートストリームにそれぞれ対応する時間基準情報として付加し、付加した時間基準情報をそれぞれ用いて、複数のトランスポートストリームをそれぞれ復号する
請求項５に記載の受信装置。
【請求項７】
前記トランスポートストリームはＭＰＥＧ２のトランスポートストリームであり、
前記時間基準情報はプログラムクロックリファレンス（ＰＣＲ）である、
請求項５に記載の受信装置。
【請求項８】
送信側と受信側の同期をとるための時間基準を示す時間基準情報が複数のトランスポートストリームを生成する複数の符号化手段の中の任意の符号化手段で用いられている前記時間基準情報を前記複数の符号化手段の他の符号化手段に指示することによって共通化された複数のトランスポートストリームと前記時間基準情報とが多重化されたトランスポートストリームを受信する受信ステップと、
前記受信ステップにより受信されたトランスポートストリームを、共通化された時間基準情報と複数のトランスポートストリームとに分離する分離ステップと、
前記分離ステップにより分離された複数のトランスポートストリームを、前記分離ステップにより分離された基準時間情報を用いて同期をとりながら復号する復号ステップと、
を有する受信方法。
【発明の詳細な説明】
【０００１】
【発明の属する技術分野】
本発明は、ＭＰＥＧトランスポートストリームに準拠した複数種類のＡＶデータを送信する送信装置とその送信方法、この送信装置により送信されたＡＶデータを受信する受信装置、および、この送信装置と受信装置よりなりＡＶデータを適切に伝送することができる伝送装置に関する。
【０００２】
【従来の技術】
ＭＰＥＧ２(Moving Picture coding Experts Groupによる高品質動画像符号化方式) においては、ＡＶデータ（オーディオデータおよびビデオデータ、または、そのいずれか一方のデータ）であるプログラムデータを複数多重化し、放送や通信などの伝送に供することのできるストリームとして、トランスポートストリーム（ＴＳ）と呼ばれるストリームが規定されている。
【０００３】
このＭＰＥＧ２トランスポートストリーム（ＭＰＥＧ２−ＴＳ）では、時刻基準を示すＰＣＲ(Program Clock Reference) というデータを使用して、送信側と受信側の同期をとるように規定されている。
このＰＣＲは、ＭＰＥＧ２−ＴＳの全てのパケットに存在するのではなく、指定されたＰＩＤのパケットの中のＰＣＲフラグが’１’の時のみ存在する。
【０００４】
また、このＰＣＲは、９ビットで表されるプログラムクロックリファレンスエクステンション(program clock reference extension) と、３３ビットで表されるプログラムクロックリファレンスベース(program clock reference base)の計４２ビットで構成される。
プログラムクロックリファレンスエクステンションは０〜２９９をカウントし、そのキャリーでプログラムクロックリファレンスベースが１インクリメントされる。
ＭＰＥＧ２のシステムのシステムクロックは２７ＭＨｚなので、この４２ビットのカウンタで、２４時間分の時間を２７ＭＨｚクロック単位でカウントすることができる。
すなわち、ＰＣＲはシステムクロックでカウントされるＰＣＲカウンタ値（ＰＣＲ値）と言える。
【０００５】
このＰＣＲを使用して、送信側と受信側で同期をとる方法について、図６を参照して説明する。
送信側では、システムクロックＣＬＫS でカウントされるＰＣＲ値を、送信と同時にＭＰＥＧ２−ＴＳ中のデータとして伝送する。受信側では、そのパケットが到着した時間が、伝送されたＰＣＲ値と同じとなるようにシステムクロックＣＬＫR をＰＬＬ回路でロックする。この時、伝送による遅延が一定であるなら、受信側では送信側と同じ周波数のクロックを得ることができ、送信側のシステムクロックＣＬＫS と受信側のシステムクロックＣＬＫR は同期する。
【０００６】
また、ＭＰＥＧ２−ＴＳを用いたこれまでのＡＶデータの伝送システムを図７に示す。
伝送システム９は、送信装置９０と受信装置９４が伝送路９３により実質的に接続されている構成である。
送信装置９０は、Ｎ個のエンコーダ９１-1〜９１-Nと、マルチプレクサ９２を有し、マルチプレクサ９２から出力されたＭＰＥＧ２−ＴＳをマルチプレクサ９２で多重化して１つのストリームとして出力する。
また、受信装置９４においては、デマルチプレクサ９５により分割された複数のＭＰＥＧ２ストリームより選択スイッチ９６によりデコードするデータを選択し、選択されたＭＰＥＧ２ストリームに含まれているＰＣＲを用いて同期をとってデコーダ９７においてデコードを行う。
【０００７】
このような、伝送システム９においては、マルチプレクサ９２において、固有のＰＣＲを有する複数のＭＰＥＧ２ストリームを多重化して１つのＭＰＥＧ２−ＴＳを生成するため、その生成されたＭＰＥＧ２−ＴＳは複数種類のＰＣＲを持つことになる。
このマルチプレクスされたＭＰＥＧ２−ＴＳ中のＰＣＲのビットレートＰＣＲＳMUX は、式１で示される。
【０００８】
【数１】
0003978814.tif 000002
【０００９】
なお、式１において、Ｎはエンコーダの数、ＰＣＲＳi はｉ番目のエンコーダ９１-i（ｉ＝１〜Ｎ）から出力されるＭＰＥＧ２ストリームの中のＰＣＲのビットレートである。
【００１０】
【発明が解決しようとする課題】
ところで、前述したようなこれまでのＭＰＥＧ２−ＴＳを用いて伝送システムにおいては、式１を示して前述したように、多重化するＡＶデータの数が増える、すなわちエンコーダ数Ｎが増えれば増えるほど、マルチプレクスされたＭＰＥＧ２−ＴＳ中のＰＣＲのビットレートが増えることになり、その分ＡＶデータに割り当てることができるデータが少なくなるという問題がある。実際の伝送システムにおいては、伝送路に送出できるＭＰＥＧ２−ＴＳのビットレートは限られているため、ＡＶデータに少しでも多くのビットレートを割り当てることができれば、伝送データの高画質化、高音質化、高機能化が図れるという利点があり、そのために、式１に示すＰＣＲのビットレートを少しでも削減したいという要望がある。
【００１１】
また、受信装置側においては、複数のＭＰＥＧ２−ＴＳより所望のＭＰＥＧ２−ＴＳを選択し、選択されたＭＰＥＧ２−ＴＳに含まれているＰＣＲを用いて同期をとってデコードを行うため、選択するＭＰＥＧ２−ＴＳを変える、すなわちチャネルを変える毎に異なるＰＣＲを用いて同期を取り直す必要があり、同期をとるために時間がかかるという問題がある。
【００１２】
したがって、本発明の目的は、複数のＭＰＥＧ２−ＴＳを多重化して送信する装置であって、送信信号中のＰＣＲのビットレートを少しでも低くし、その分ＡＶデータにデータ量を割り当て、高品質で高機能にＡＶデータを送信することができる送信装置を提供することにある。
また本発明の他の目的は、複数のＭＰＥＧ２−ＴＳを多重化して送信する際に、送信信号中のＰＣＲのビットレートを低くし、その分ＡＶデータにデータ量を割り当て、高品質で高機能にＡＶデータを送信することができる送信方法を提供することにある。
【００１３】
また、本発明の他の目的は、そのような送信装置により送信されたデータを受信し、チャネル選択後のデコードを瞬時に行えるような受信装置を提供することにある。
また、本発明の他の目的は、複数のＭＰＥＧ２−ＴＳを多重化して伝送する際に、送信信号中のＰＣＲのビットレートを低くすることによりＡＶデータにより多くのデータ量を割り当て、高品質で高機能にＡＶデータを送信することができ、さらにチャネル選択後のデコードを瞬時に行えるような伝送装置を提供することにある。
【００１４】
【課題を解決するための手段】
前記課題を解決するために、最終的に多重化されて伝送される複数のＭＰＥＧ２−ＴＳにおいては、共通の１つのＰＣＲのみを用いてエンコードするようにした。
【００１５】
本発明の送信装置は、送信側と受信側の同期をとるための時間基準を示す時間基準情報を用いて、入力される複数のオーディオ・ビデオ信号を符号化し、複数のトランスポートストリームを生成する複数の符号化手段と、
前記複数の符号化手段の中の任意の符号化手段で用いられている前記時間基準情報を検出し、検出した該時間基準情報を前記複数の符号化手段の他の符号化手段に指示することにより、前記複数の符号化手段全ての時間基準情報を共通化させる指示手段と、
前記複数の符号化手段により生成された複数のトランスポートストリームと前記指示手段により共通化された時間基準情報とを多重化して、１つのトランスポートストリームを生成する多重化手段と、
前記多重化手段より生成されたトランスポートストリームを送信する送信手段と、
を有する。
【００１６】
好ましくは、前記指示手段は、前記時間基準情報を生成し、該生成された時間基準情報を前記複数の符号化手段に対して指示することにより、前記複数の符号化手段全てで用いられる時間基準を情報を共通化させる。
また好ましくは、前記トランスポートストリームは、ＭＰＥＧ２規格準拠のトランスポートストリームであり、
前記時間基準情報は、プログラムクロックリファレンス（ＰＣＲ）である。
【００１７】
本発明の送信方法は、送信側と受信側の同期をとるための時間基準を示す時間基準情報を用いて、入力される複数のオーディオ・ビデオ信号を符号化し、複数のトランスポートストリームを生成する複数の符号化ステップと、
前記符号化ステップでの複数の符号化処理の中の任意の符号化処理で用いられている前記時間基準情報を検出し、検出した該時間基準情報を前記複数の符号化処理の他の符号化処理に指示することにより、前記複数の符号化処理全ての時間基準情報を共通化させる指示ステップと、
前記符号化ステップでの前記複数の符号化処理により生成された複数のトランスポートストリームと前記指示ステップにより共通化された時間基準情報とを多重化して、１つのトランスポートストリームを生成する多重化ステップと、
前記多重化ステップより生成されたトランスポートストリームを送信する送信ステップと、
を有する。
【００１８】
本発明の受信装置は、送信側と受信側の同期をとるための時間基準を示す時間基準情報が複数のトランスポートストリームを生成する複数の符号化手段の中の任意の符号化手段で用いられている前記時間基準情報を前記複数の符号化手段の他の符号化手段に指示することによって共通化された複数のトランスポートストリームと前記時間基準情報とが多重化されたトランスポートストリームを受信する受信手段と、
前記受信手段により受信されたトランスポートストリームを、共通化された時間基準情報と複数のトランスポートストリームとに分離する分離手段と、
前記分離手段により分離された複数のトランスポートストリームを、前記分離手段により分離された基準時間情報を用いて同期をとりながら復号する復号手段と、
を有する。
好ましくは、前記復号手段は、前記分離手段により分離された前記時間基準情報を、前記分離手段により分離された複数のトランスポートストリームにそれぞれ対応する時間基準情報として付加し、付加した時間基準情報をそれぞれ用いて、複数のトランスポートストリームをそれぞれ復号する。
また好ましくは、前記トランスポートストリームはＭＰＥＧ２のトランスポートストリームであり、
前記時間基準情報はプログラムクロックリファレンス（ＰＣＲ）である。
【００１９】
本発明の受信方法は、送信側と受信側の同期をとるための時間基準を示す時間基準情報が複数のトランスポートストリームを生成する複数の符号化手段の中の任意の符号化手段で用いられている前記時間基準情報を前記複数の符号化手段の他の符号化手段に指示することによって共通化された複数のトランスポートストリームと前記時間基準情報とが多重化されたトランスポートストリームを受信する受信ステップと、
前記受信ステップにより受信されたトランスポートストリームを、共通化された時間基準情報と複数のトランスポートストリームとに分離する分離ステップと、
前記分離ステップにより分離された複数のトランスポートストリームを、前記分離ステップにより分離された基準時間情報を用いて同期をとりながら復号する復号ステップと、
を有する。
【００２０】
【発明の実施の形態】
本発明の一実施の形態を図１〜図５を参照して説明する。
本実施の形態においては、送信装置および受信装置が伝送路を介して接続されており、その装置間をＭＰＥＧ２−ＴＳで規定されているフォーマットのＡＶデータを伝送する伝送システムについて説明する。
図１は、本実施の形態のＭＰＥＧ２−ＴＳを用いたＡＶデータ伝送システムの構成を示すブロック図である。
ＡＶデータ伝送システム１は、送信装置１０および受信装置３０が伝送路２０を介して接続されている。
【００２１】
まず、各部の構成および動作について説明する。
まず送信装置１０について説明する。
送信装置１０は、ＰＣＲ制御部１１、Ｎ個のエンコーダ１２-1〜１２-Nおよびマルチプレクサ１３を有する。このＰＣＲ制御部１１およびＮ個のエンコーダ１２-1〜１２-Nの間は、イーサネット１４により接続されており、任意の装置間で適宜通信が可能になっている。
【００２２】
ＰＣＲ制御部１１は、後述するＮ個のエンコーダ１２-1〜１２-Nにおいて、共通のＰＣＲを用いてＭＰＥＧ２−ＴＳを生成するように、そのＰＣＲの統一処理を制御する。そのために、ＰＣＲ制御部１１は、Ｎ個のエンコーダ１２-1〜１２-Nの中の特定のエンコーダ１２-i（ｉ＝１〜Ｎ）（本実施の形態においては第１のエンコーダ１２-1）のＰＣＲを読み出し、そのＰＣＲをＮ個のエンコーダ１２-1〜１２-Nに配信する処理を行う。また、その処理により適切にＰＣＲの統一化が図れたか否かの検査も行う。
【００２３】
図２に示すフローチャートを参照して、ＰＣＲ制御部１１の動作について具体的に説明する。
まず、処理が開始されると（ステップＳ１０）、ＰＣＲ制御部１１は第１のエンコーダ１２-1に対して、ＰＣＲを送出するように、イーサネット１４を介してメッセージを送出する（ステップＳ１１）。
その要求に基づいて、第１のエンコーダ１２-1からのＰＣＲ値ＰＣＲ1 を受信したら（ステップＳ１２）、ＰＣＲ制御部１１は、そのＰＣＲ値ＰＣＲ1 に１ビデオフレーム分のＰＣＲ値ΔＰＣＲを加えた値を計算し、この値を全てのエンコーダ１２-1〜１２-Nにブロードキャストメッセージとして送出する（ステップＳ１３）。
【００２４】
各エンコーダ１２-1〜１２-Nがこの送出されたＰＣＲ値に基づいてエンコードを行うことにより、ＰＣＲの統一が図れる。
次に、ＰＣＲ制御部１１においては、実際にＰＣＲの統一が成功したか否かの検査の結果を第１のエンコーダ１２-1より受信し、その結果を第２〜第Ｎのエンコーダ１２-2〜１２-Nに出力する（ステップＳ１４）。そして、ＰＣＲの統一が成功していれば（ステップＳ１５）、処理を終了し（ステップＳ１６）、また、ＰＣＲの統一が不成功の時は、再びステップＳ１１からの処理に戻り、ＰＣＲの統一処理を繰り返す。
【００２５】
第１のエンコーダ１２-1は、入力されるＡＶデータをエンコードし、ＭＰＥＧ２−ＴＳを生成し、マルチプレクサ１３に出力する。また、ＰＣＲ制御部１１からの要求に基づいて、使用しているＰＣＲを、送信装置１０より送信するＭＰＥＧ２−ＴＳに用いられる共通のＰＣＲとして提供する。さらに第１のエンコーダ１２-1は、ＰＣＲの統一処理が適切に行われたか否かを、入力された共通のＰＣＲの値と、第１のエンコーダ１２-1のＰＣＲカウンタ値とを比較することにより検出し、ＰＣＲ制御部１１に送信する。
【００２６】
図３に示すフローチャートを参照して、第１のエンコーダ１２-1の動作について具体的に説明する。
まず処理が開始されたら（ステップＳ２０）、直ちに入力されるＡＶデータのエンコードを開始しＭＰＥＧ２−ＴＳの生成を行う（ステップＳ２１）。
エンコードを行いながら、ＰＣＲ制御部１１より前述したようなＰＣＲの送出メッセージを受信したら（ステップＳ２２）、行っているエンコードで使用しているＰＣＲをＰＣＲ制御部１１に出力する（ステップＳ２３）。
【００２７】
次に、ＰＣＲ制御部１１より、前述したようなＰＣＲ値（ＰＣＲ1 ＋ΔＰＣＲ）を受信したら（ステップＳ２４）、送信装置１０内のシステムクロックであるハウスシンク信号に基づいて検出される送信装置１０内のエンコーダ１２-1〜１２-Nで共通のＰＣＲを用いてエンコードを開始する時刻において、その時点の第１のエンコーダ１２-1内のＰＣＲカウンタの値と、ステップＳ２４で受信したＰＣＲ値（ＰＣＲ1 ＋ΔＰＣＲ）とが等しいか否かをチェックする（ステップＳ２５）。
これらの値が等しい場合には、ＰＣＲ制御部１１より適切にＰＣＲ値（ＰＣＲ1 ＋ΔＰＣＲ）が送信されてきたと判断して、その旨の信号をＰＣＲ制御部１１に送信する（ステップＳ２６）。
そしてこれによりＰＣＲの統一処理は終了されるので、以後第１のエンコーダ１２-1は通常のエンコード処理を継続する（ステップＳ２７）。
【００２８】
また、ステップＳ２５において比較した値が異なった場合には、ＰＣＲ制御部１１より適切にＰＣＲ値（ＰＣＲ1 ＋ΔＰＣＲ）が送信されていないと判断し、その旨の信号をＰＣＲ制御部１１に送信する（ステップＳ２８）。
その結果、ＰＣＲ制御部１１においては、再びＰＣＲ統一処理が繰り返されるので、第１のエンコーダ１２-1においてもステップＳ２２以下の処理の繰り返しに移る。
【００２９】
第１のエンコーダ１２-1以外のその他のエンコーダ、すなわち第２〜第Ｎのエンコーダ１２-2〜１２-Nも、入力されるＡＶデータをエンコードし、ＭＰＥＧ２−ＴＳを生成し、マルチプレクサ１３に出力する。その際に、各第１のエンコーダ１２-i（ｉ＝２〜Ｎ）においては、ＰＣＲ制御部１１から送信装置１０より送信するＭＰＥＧ２−ＴＳに用いられる共通のＰＣＲとして所定のＰＣＲが配信された場合に、、所定の時刻より使用するＰＣＲをこの配信されたＰＣＲに切り替えてエンコードを行う。
【００３０】
図４に示すフローチャートを参照して、第２〜第Ｎのエンコーダ１２-1〜１２-Nの動作について具体的に説明する。
まず処理が開始されたら（ステップＳ３０）、直ちに入力されるＡＶデータのエンコードを開始しＭＰＥＧ２−ＴＳの生成を行う（ステップＳ３１）。
エンコードを行いながら、ＰＣＲ制御部１１より前述したようなＰＣＲ値（ＰＣＲ1 ＋ΔＰＣＲ）を受信したら（ステップＳ３２）、送信装置１０内のシステムクロックであるハウスシンク信号に基づいて検出される送信装置１０内のエンコーダ１２-1〜１２-Nで共通のＰＣＲを用いてエンコードを開始する時刻において、その受信したＰＣＲ値（ＰＣＲ1 ＋ΔＰＣＲ）を用いたエンコードをスタートさせる（ステップＳ３３）。
【００３１】
そして、ＰＣＲ制御部１１よりＰＣＲの統一結果を示す信号を受信し（ステップＳ３４）、統一が成功していた場合には、以後通常のエンコード処理を継続する（ステップＳ３５）。
また、ステップＳ３４においてＰＣＲの統一が成功しなかった場合には、再びステップＳ３２に戻って、ＰＣＲ制御部１１からのＰＣＲ値（ＰＣＲ1 ＋ΔＰＣＲ）の受信を待ち、ステップＳ３２以下の処理を繰り返す。
【００３２】
マルチプレクサ１３は、Ｎ個のエンコーダ１２-1〜１２-Nで各々エンコードされたＭＰＥＧ２−ＴＳを多重化し、１つのビットストリームに変換して伝送路２０に送出する。その際に、マルチプレクサ１３は、ＰＣＲに関しては、Ｎ個のエンコーダ１２-1〜１２-Nの中の任意の１つのエンコーダ１２-i（ｉ＝１〜Ｎ）（本実施の形態においては第１のエンコーダ１２-1）より出力されるＭＰＥＧ２−ＴＳのＰＣＲのみを用いて、これを適宜ビットストリーム中に多重化する。
【００３３】
次に、受信装置３０について説明する。
受信装置３０は、デマルチプレクサ３１、選択スイッチ３２およびデコーダ３３を有する。
デマルチプレクサ３１は、伝送路２０を介して入力された、前述したような複数のＭＰＥＧ２−ＴＳが多重化された信号を、ＭＰＥＧ２−ＴＳ内のＰＩＤ(Packet Identification) 信号に基づいて各プログラムごとに分離し、各々各チャネルごとの信号として出力する。伝送路２０を介して入力されるＭＰＥＧ２−ＴＳにおいては、１種類の統一されたＰＣＲしかないので、デマルチプレクサ３１は、その分離したＰＣＲを、分離した全てのＭＰＥＧ２−ＴＳに付加して出力する。
【００３４】
選択スイッチ３２は、図示せぬ選択信号により切り替えられ、デマルチプレクサ３１で分離されたＮチャネルのＭＰＥＧ２−ＴＳの中より、所望の１つのＭＰＥＧ２−ＴＳを選択し、デコーダ３３に出力する。
【００３５】
デコーダ３３は、選択スイッチ３２で選択されたＭＰＥＧ２−ＴＳをデコードオし、元のＡＶデータを復元し受信装置３０より出力する。このデコードの際に用いるシステムクロックは、デコーダ３３に入力される各ＭＰＥＧ２−ＴＳのＰＣＲを用いるが、選択スイッチ３２でどのチャネルを選択しようとも、実際のデータは変わってもＰＣＲは全てのチャネルで同一である。したがって、チャネルを切り替えたとしてもシステムクロックは継続している、換言すれば同期は瞬時にとれるので、直ちにデコードおよび復元ＡＶデータの出力ができる。
【００３６】
次に、ＡＶデータ伝送システム１の動作について図５を参照して説明する。
図５は送信装置１０の各部の動作の流れ、および、各部の動作の関係を説明するための図である。
まず、送信装置１０の電源がオンされると、エンコーダ１２-1〜１２-Nはエンコード処理を開始し、マルチプレクサ１３はその多重化処理を開始する。また、ＰＣＲ制御部１１は、第１のエンコーダ１２-1に対して、ＰＣＲ制御部１１に対してＰＣＲを送出するように、イーサネット１４を介してメッセージを送出する。
【００３７】
このメッセージを受信した第１のエンコーダ１２-1は、システムにおける絶対同期信号であるハウスシンク信号による割り込みに同期して、その時点でのＰＣＲカウンタ値ＰＣＲ1 をＰＣＲ制御部１１に送出する。図５の例においては、時刻Ｔ0 の時のＰＣＲカウンタ値をＰＣＲ制御部１１に送出する。
第１のエンコーダ１２-1からのＰＣＲ値ＰＣＲ1 を受信したＰＣＲ制御部１１は、ＰＣＲ値ＰＣＲ1 に１ビデオフレーム分のＰＣＲ値ΔＰＣＲを加えた値を計算し、この値を全てのエンコーダ１２-1〜１２-Nにブロードキャストメッセージとして送出する。
【００３８】
ＰＣＲ値ＰＣＲ1 に１ビデオフレーム分のＰＣＲ値ΔＰＣＲを加えた値（ＰＣＲ1 ＋ΔＰＣＲ）を受信した第２〜第Ｎのエンコーダ１２-2〜１２-Nは、エンコーダ１２-i（ｉ＝２〜Ｎ）内のメモリに受信したＰＣＲ値（ＰＣＲ1 ＋ΔＰＣＲ）を保持しておき、時刻Ｔ1 においてその値をＰＣＲカウンタにロードし、エンコードを再スタートする。
これにより、最初のハウスシンク信号の次のシンク信号（図５においては時刻Ｔ1 ）以降は、Ｎ個のエンコーダ１２-1〜１２-Nは同一のＰＣＲで動作する。
したがってマルチプレクサ１３は、時刻Ｔ1 以降、ＰＣＲについては、エンコーダ１２-1〜１２-Nの任意のエンコーダから出力されるＭＰＥＧ２−ＴＳ中のＰＣＲのみをマルチプレクスする。
【００３９】
ところで、この１ビデオフレーム分のＰＣＲ値ΔＰＣＲは、５２５／６０システムの場合、式２に示すようになる。
【００４０】
【数２】
0003978814.tif 000003
【００４１】
また、６２５／５０システムの場合、式３に示すようになる。
【００４２】
【数３】
0003978814.tif 000004
【００４３】
したがって、前述したような時刻Ｔ1 以降、Ｎ個のエンコーダ１２-1〜１２-Nから出力されるＭＰＥＧ２−ＴＳのＰＣＲを同一にするためには、エンコーダ１２-1〜１２-Nが時刻Ｔ1 以前に、ＰＣＲ制御部１１よりＰＣＲ値ΔＰＣＲ（ＰＣＲ1 ＋ΔＰＣＲ）を受信する必要がある。
時刻Ｔ0 と時刻Ｔ1 との間隔は、５２５／６０システムにおいて３３ｍｓであり、イーサネット１４を介してデータの送受信を行う場合には原則として問題なく行えるが、何らかの理由によりイーサネット１４のトラフィックが多くデータが間に合わなかった場合なども考慮し、より確実にデータの伝送が行えるように、第１のエンコーダ１２-1においてはその統一のＰＣＲ値（ＰＣＲ1 ＋ΔＰＣＲ）が適切に各エンコーダ１２-1〜１２-Nに配信されたか否かをチェックする。
【００４４】
時刻Ｔ1 以前に、ＰＣＲ値（ＰＣＲ1 ＋ΔＰＣＲ）をエンコーダ１２-1〜１２-Nが受信したか否かを確認するために、第１のエンコーダ１２-1は、時刻Ｔ1 において、そのＰＣＲ値（ＰＣＲ1 ＋ΔＰＣＲ）とその時の第１のエンコーダ１２-1内のＰＣＲカウンタの値を比較する。時刻Ｔ1 以前にそのＰＣＲ値（ＰＣＲ1 ＋ΔＰＣＲ）が受信できていれば、比較したそれらの値は等しくなるので、ＰＣＲ値を適切に受信していることがわかる。
第１のエンコーダ１２-1は、このＰＣＲ値の比較結果、すなわちＰＣＲ値（ＰＣＲ1 ＋ΔＰＣＲ）の送受信が正しく行われたか否かを、ＰＣＲ制御部１１にメッセージとして送信する。
【００４５】
ＰＣＲ制御部１１は、第１のエンコーダ１２-1より送信されてくるＰＣＲ値の比較結果よりＰＣＲ値（ＰＣＲ1 ＋ΔＰＣＲ）の送受信が正しく行われていると判定された場合には、ＰＣＲ制御部１１はＰＣＲの統一処理を終了する。
また、ＰＣＲ値（ＰＣＲ1 ＋ΔＰＣＲ）の配信が正しく行われなかった場合には、ＰＣＲ制御部１１は再度第１のエンコーダ１２-1に対して、ＰＣＲを送出するようにメッセージを送出し、以後、前述したのと同様の処理によりＰＣＲの統一を図る。
【００４６】
このようにしてマルチプレクスされたＭＰＥＧ２−ＴＳの信号は、伝送路２０を介して受信装置３０に入力される。
受信装置３０においては、デマルチプレクサ３１において受信した信号より各ＭＰＥＧ２−ＴＳを分離し、選択スイッチ３２により所望のチャネルを選択し、デコーダ３３においてデコードし元のＡＶデータを復元し出力する。
この時、デマルチプレクサされたＭＰＥＧ２−ＴＳは全て同一のＰＣＲをもつため、途中でチャネルを切り替えたとしても、システムクロックの同期は瞬時にとれる。
【００４７】
このように、本実施の形態のＡＶデータ伝送システム１においては、複数のＭＰＥＧ２−ＴＳが多重化された信号において、ＰＣＲは１つに統一されており、このマルチプレクスされたＭＰＥＧ２−ＴＳ中のＰＣＲのビットレートＰＣＲＳMUX は、式４のようになる。
【００４８】
【数４】
ＰＣＲＳMUX ＝  ＰＣＲＳ1                             ・・・（４）
【００４９】
したがって、マルチプレクスされたＭＰＥＧ２−ＴＳの中のＰＣＲのビットレートを大幅に低減することができる。
具体的には、たとえばＮ個のエンコーダが等しいＰＣＲを用いる場合、そのビットレートは従来の送信方法の１／Ｎとなる。
【００５０】
またこのように、ＭＰＥＧ２−ＴＳ中のＰＣＲのビットレートを少なくすることができるので、その分をＡＶデータに余分に割り当てることが可能となり、伝送するＡＶデータの高画質化および高品質化、および、伝送システムの高機能化が図れる。また、マルチプレクスするチャネルの増加などにも対応することができる。
【００５１】
また、受信装置側においては、全てのＭＰＥＧ２−ＴＳのＰＣＲが同一なので、デコードを行うＭＰＥＧ２−ＴＳを切り替えた際にも、２回目以降のシステムクロックの同期をとる作業は瞬時に完了する。すなわち、チャネルの切り替えを一瞬にして行うことができる。
【００５２】
なお、本発明は本実施の形態に限られるものではなく、種々の改変が可能である。
たとえば、ＡＶデータ伝送システム１においては、第１のエンコーダ１２-1のＰＣＲを検出し、その他のエンコーダ１２-2〜１２-NのＰＣＲをこれに合わせるようにしたが、基準となるＰＣＲは第１のエンコーダ１２-1のＰＣＲに限られるものではない。第１〜第Ｎのエンコーダ１２-1〜１２-Nの任意のエンコーダのＰＣＲを基準のＰＣＲとしてよい。
また、ＰＣＲ制御部１１自身がＰＣＲを発生し、全てのエンコーダ１２-1〜１２-NにそのＰＣＲ値をセットするようにしてもよい。基準となるＰＣＲの出所、生成方法は何ら限定されるものではない。
また、このＰＣＲ値のセットの後にエンコードをスタートさせるようにしてもよい。そのようにすれば、冒頭より、統一したＰＣＲに従ったＭＰＥＧ２−ＴＳを送信することができる。
【００５３】
【発明の効果】
以上説明したように、本発明の送信装置および送信方法によれば、複数のストリームが多重化されたＭＰＥＧ２−ＴＳを送信する際に、そのＰＣＲを統一して送信するので、ＰＣＲのビットレートを低くすることができる。その結果、その分ＡＶデータにデータ量を割り当てることができ、高品質で高機能にＡＶデータを送信することができる。
【００５４】
また、本発明の受信装置によれば、そのような送信装置により送信された複数のＭＰＥＧ２−ＴＳが多重化された信号を受信した際において、選択したＭＰＥＧ２−ＴＳに対する同期を直ちにとることができ、その結果チャネル選択を瞬時に行うことができる。
【００５５】
また、本発明の伝送装置によれば、低いＰＣＲビットレートで多重化されたＭＰＥＧ２−ＴＳを伝送することができるので、ＡＶデータに多くのデータ量を割り当て高品質で高機能にＡＶデータを送信することができ、さらに、受信側においてデコードするＭＰＥＧ２−ＴＳを選択した際の同期を瞬時にとることができるので、チャネルの選択が瞬時に行える。
【図面の簡単な説明】
【図１】本発明の一実施の形態のＡＶデータ伝送システムの構成を示すブロック図である。
【図２】図１に示したＡＶデータ伝送システムのＰＣＲ制御部における処理を説明するためのフローチャートである。
【図３】図１に示したＡＶデータ伝送システムの第１のエンコーダにおける処理を説明するためのフローチャートである。
【図４】図１に示したＡＶデータ伝送システムの第２〜第Ｎのエンコーダにおける処理を説明するためのフローチャートである。
【図５】図１に示したＡＶデータ伝送システムの動作を説明するための図である。
【図６】ＰＣＲを使用して送信側と受信側で同期をとる方法を説明する図である。
【図７】ＭＰＥＧ２−トランスポートストリーム（ＴＳ）を用いた従来のＡＶデータの伝送システムの構成を示す図である。
【符号の説明】
１…ＡＶデータ伝送システム、１０…送信装置、１１…ＰＣＲ制御部、１２…エンコーダ、１３…マルチプレクサ、１４…イーサネット、２０…伝送路、３０…受信装置、３１…デマルチプレクサ、３２…選択スイッチ、３３…デコーダ、９…伝送システム、９０…送信装置、９１-1〜９１-N…エンコーダ、９２…マルチプレクサ、９３…伝送路、９４…受信装置、９５…デマルチプレクサ、９６…選択スイッチ、９７…デコーダ
【図１】
0003978814.tif 000005
【図２】
0003978814.tif 000006
【図３】
0003978814.tif 000007
【図４】
0003978814.tif 000008
【図５】
0003978814.tif 000009
【図６】
0003978814.tif 000010
【図７】
0003978814.tif 000011